(57)【要約】【課題】携帯用情報機器の意匠を損なうことなく拡張装置と携帯用情報機器との間を容易に位置決めして接続することができ、携帯用情報機器の冷却性能を向上させることができる電子機器及び該電子機器を構成する拡張装置を提供する。【解決手段】電子機器１０は、携帯用情報機器１２と、携帯用情報機器１２の機能を拡張する拡張装置１１とを備え、携帯用情報機器１２に設けられた機器側コネクタ２５と拡張装置１１に設けられた拡張側コネクタ２４とが接続されることで携帯用情報機器１２と拡張装置１１との間が電気的に接続される。機器側コネクタ２５の周囲には携帯用情報機器１２内の発熱体４８と熱的に接続された放熱部２７が設けられ、拡張側コネクタ２４の周囲には機器側コネクタ２５に電気的に接続された状態で、放熱部２７に対して熱的に接続される受熱部２６が設けられている。【選択図】図６
2017073066.tif 000002
【特許請求の範囲】
【請求項１】
携帯用情報機器と、該携帯用情報機器の機能を拡張する拡張装置とを備え、前記携帯用情報機器に設けられた機器側コネクタと前記拡張装置に設けられた拡張側コネクタとが接続されることで前記携帯用情報機器と前記拡張装置との間が電気的に接続される電子機器であって、
前記機器側コネクタの周囲には、前記携帯用情報機器内の発熱体と熱的に接続された放熱部が設けられ、
前記拡張側コネクタの周囲には、該拡張側コネクタが前記機器側コネクタに電気的に接続された状態で、前記放熱部に対して熱的に接続される受熱部が設けられていることを特徴とする電子機器。
【請求項２】
請求項１記載の電子機器において、
前記拡張装置は、ラジエータ、水冷ジャケット及び循環ポンプを配管で環状に接続して冷却水を循環させる水冷ユニットを備え、
前記水冷ジャケットを前記受熱部として用いたことを特徴とする電子機器。
【請求項３】
請求項１又は２記載の電子機器において、
前記拡張装置は、前記携帯用情報機器の底面が載置される載置面を有すると共に、前記拡張側コネクタ及び前記受熱部が前記載置面上で突出するように設けられ、
前記携帯用情報機器の底面には、その内部に前記機器側コネクタ及び前記放熱部を有し、前記拡張側コネクタ及び前記受熱部を挿抜可能な接続穴が設けられていることを特徴とする電子機器。
【請求項４】
請求項３記載の電子機器において、
前記拡張装置の載置面には、該載置面に載置された前記携帯用情報機器の底面に設けられた係合穴に係合することで、該拡張装置からの前記携帯用情報機器の離脱を阻止する係合レバーが設けられていることを特徴とする電子機器。
【請求項５】
請求項１〜４のいずれか１項に記載の電子機器において、
前記放熱部は、前記機器側コネクタの外周側面に当接配置されるか又は該外周側面との間に隙間を介して配置され、
前記受熱部は、前記拡張側コネクタの外周側面との間に隙間を介して配置されるか又は該外周側面に当接配置されることを特徴とする電子機器。
【請求項６】
携帯用情報機器に設けられた機器側コネクタに対して拡張側コネクタが接続されることで前記携帯用情報機器に対して電気的に接続されて該携帯用情報機器の機能を拡張する拡張装置であって、
前記拡張側コネクタの周囲には、該拡張側コネクタが前記機器側コネクタに対して電気的に接続された状態で、前記機器側コネクタの周囲に設けられて前記携帯用情報機器内の発熱体と熱的に接続された放熱部に対して熱的に接続される受熱部が設けられていることを特徴とする拡張装置。
【請求項７】
請求項６記載の拡張装置において、
ラジエータ、水冷ジャケット及び循環ポンプを配管で環状に接続して冷却水を循環させる水冷ユニットを備え、
前記水冷ジャケットを前記受熱部として用いたことを特徴とする拡張装置。
【発明の詳細な説明】
【技術分野】
【０００１】
本発明は、携帯用情報機器と該携帯用情報機器の機能を拡張する拡張装置とを備える電子機器及び該電子機器を構成する拡張装置に関する。
【背景技術】
【０００２】
可搬性を考慮して軽量コンパクトに構成された携帯用情報機器にあっては、その機能も制限されている場合が多い。例えば、ノートブック型パーソナルコンピュータ（ノート型ＰＣ）においてもその機能を制限することで軽量化を図るようにしているのが一般的である。そこで、このようなノート型ＰＣの機能を向上させるため、ノート型ＰＣに着脱可能に連結されることでその機能を拡張する拡張装置が提供されている。
【０００３】
例えば特許文献１には、互いのコネクタ間の接続によってノート型ＰＣと電気的に接続されることでその電気的な機能を拡張させ、さらにノート型ＰＣ側のヒートシンクに対して熱的に接続されるヒートシンクを有することでその放熱性能も向上させることができる冷却機能を持った拡張装置が提案されている。
【先行技術文献】
【特許文献】
【０００４】
【特許文献１】特開２００２−１８２７９５号公報
【発明の概要】
【発明が解決しようとする課題】
【０００５】
上記特許文献１の構成では、拡張装置にノート型ＰＣを搭載する際は、互いのコネクタ同士を接続すると同時に、コネクタと離間した位置にあるヒートシンク同士も接続する必要がある。このため、ノート型ＰＣの拡張装置に対する位置決めが難しく、コネクタ同士及びヒートシンク同士の位置決めがいずれも精度よく成されていない場合はコネクタ間に噛み合いを生じる懸念がある。しかもノート型ＰＣの底面にはコネクタ配置用の穴に加えてヒートシンク配置用の穴も必要となり、ノート型ＰＣの底面の外観品質が損なわれることになる。
【０００６】
本発明は、上記従来技術の課題を考慮してなされたものであり、携帯用情報機器の外観品質を損なうことなく拡張装置と携帯用情報機器との間を容易に位置決めして接続することができ、携帯用情報機器の冷却性能を向上させることができる電子機器及び該電子機器を構成する拡張装置を提供することを目的とする。
【課題を解決するための手段】
【０００７】
本発明に係る電子機器は、携帯用情報機器と、該携帯用情報機器の機能を拡張する拡張装置とを備え、前記携帯用情報機器に設けられた機器側コネクタと前記拡張装置に設けられた拡張側コネクタとが接続されることで前記携帯用情報機器と前記拡張装置との間が電気的に接続される電子機器であって、前記機器側コネクタの周囲には、前記携帯用情報機器内の発熱体と熱的に接続された放熱部が設けられ、前記拡張側コネクタの周囲には、該拡張側コネクタが前記機器側コネクタに電気的に接続された状態で、前記放熱部に対して熱的に接続される受熱部が設けられていることを特徴とする。
【０００８】
このような構成によれば、拡張装置に携帯用情報機器を搭載する際、互いの拡張側コネクタと機器側コネクタとを接続するだけで受熱部と放熱部とが接続される。すなわち、互いのコネクタ同士が精度よく位置決めされていれば受熱部と放熱部の間も確実に位置決めされて接続されるため、拡張装置と携帯用情報機器とを容易に位置決めして接続することができ、さらに拡張装置によって携帯用情報機器の電気的な機能だけでなく冷却機能も向上させることができる。しかも携帯用情報機器の底面には機器側コネクタを露出させるための接続穴を設けておくだけで、この接続穴を放熱部と受熱部との接続用にも兼用できるため、携帯用情報機器の底面に形成する穴数を最小限にでき、外観品質が損なわれることを防止できる。
【０００９】
前記拡張装置は、ラジエータ、水冷ジャケット及び循環ポンプを配管で環状に接続して冷却水を循環させる水冷ユニットを備え、前記水冷ジャケットを前記受熱部として用いた構成であってもよい。そうすると、水冷ユニットによる高い冷却性能によって携帯用情報機器を冷却することができる。特に当該電子機器では、受熱部及び放熱部をそれぞれ拡張側コネクタ及び機器側コネクタの周囲に配設しているため、コネクタの仕様によっては受熱部と放熱部との間の伝熱面積を大きく確保することが難しい場合も想定される。この点、当該電子機器では従来技術のような空冷ユニットに比べて高い冷却性能を担保できる水冷ユニットを用いることで、受熱部と放熱部との間の伝熱面積の確保が難しい場合であっても十分な冷却性能を得ることができる。
【００１０】
前記拡張装置は、前記携帯用情報機器の底面が載置される載置面を有すると共に、前記拡張側コネクタ及び前記受熱部が前記載置面上で突出するように設けられ、前記携帯用情報機器の底面には、その内部に前記機器側コネクタ及び前記放熱部を有し、前記拡張側コネクタ及び前記受熱部を挿抜可能な接続穴が設けられた構成であってもよい。そうすると、携帯用情報機器の底面に設けた接続穴から放熱部が突出して底面に凸形状が形成されることがなく、携帯用情報機器を単独で使用する際の意匠性や機能性が損なわれることがない。
【００１１】
前記拡張装置の載置面には、該載置面に載置された前記携帯用情報機器の底面に設けられた係合穴に係合することで、該拡張装置からの前記携帯用情報機器の離脱を阻止する係合レバーが設けられた構成であってもよい。そうすると、拡張装置に携帯用情報機器を搭載する際に係合レバーを係合穴に係合させることによる携帯用情報機器の引き寄せ作用により、コネクタ間の接続状態の維持と共に、受熱部と放熱部との間の密着状態が維持される。
【００１２】
前記放熱部は、前記機器側コネクタの外周側面に当接配置されるか又は該外周側面との間に隙間を介して配置され、前記受熱部は、前記拡張側コネクタの外周側面との間に隙間を介して配置されるか又は該外周側面に当接配置された構成であってもよい。そうすると、放熱部及び受熱部の一方を他方とコネクタとの間の隙間に挿入することで、両者をより密着させて接続できる。
【００１３】
また、本発明に係る拡張装置は、携帯用情報機器に設けられた機器側コネクタに対して拡張側コネクタが接続されることで前記携帯用情報機器に対して電気的に接続されて該携帯用情報機器の機能を拡張する拡張装置であって、前記拡張側コネクタの周囲には、該拡張側コネクタが前記機器側コネクタに対して電気的に接続された状態で、前記機器側コネクタの周囲に設けられて前記携帯用情報機器内の発熱体と熱的に接続された放熱部に対して熱的に接続される受熱部が設けられていることを特徴とする。
【００１４】
この場合、ラジエータ、水冷ジャケット及び循環ポンプを配管で環状に接続して冷却水を循環させる水冷ユニットを備え、前記水冷ジャケットを前記受熱部として用いた構成としてもよい。
【発明の効果】
【００１５】
本発明によれば、拡張装置に携帯用情報機器を搭載する際、互いの拡張側コネクタと機器側コネクタとを接続するだけで受熱部と放熱部とが接続されるため、拡張装置と携帯用情報機器とを容易に位置決めして接続することができ、さらに拡張装置によって携帯用情報機器の電気的な機能だけでなく冷却機能も向上させることができる。しかも携帯用情報機器の底面に形成する穴数を最小限にでき、外観品質が損なわれることを防止できる。
【図面の簡単な説明】
【００１６】
【図１】図１は、本発明の一実施形態に係る電子機器の構成図である。
【図２】図２は、図１に示す拡張装置と携帯用情報機器とを接続した状態での一部断面側面図である。
【図３】図３は、図２とは異なる部分を断面で示した一部断面側面図である。
【図４】図４は、携帯用情報機器の底面における機器側コネクタ及び放熱部の周辺部を模式的に示す底面図である。
【図５】図５は、拡張装置の載置台における拡張側コネクタ及び受熱部の周辺部を模式的に示す底面図である。
【図６】図６は、拡張装置と携帯用情報機器とを分離させた状態を模式的に示す側面断面図である。
【図７】図７は、図６に示す状態から拡張装置と携帯用情報機器とを接続した状態を模式的に示す側面断面図である。
【図８】図８は、受熱部の先端に傾斜面を設けた構成例での拡張装置と携帯用情報機器とを分離させた状態を模式的に示す側面断面図である。
【発明を実施するための形態】
【００１７】
以下、本発明に係る電子機器について好適な実施の形態を挙げ、添付の図面を参照しながら詳細に説明する。
【００１８】
図１は、本発明の一実施形態に係る電子機器１０の構成図であり、拡張装置１１と携帯用情報機器１２とを分離させた状態での分解斜視図である。図２は、図１に示す拡張装置１１と携帯用情報機器１２とを接続した状態での一部断面側面図であり、図３は、図２とは異なる部分を断面で示した一部断面側面図である。本実施形態に係る電子機器１０は、ノート型ＰＣである携帯用情報機器１２を拡張装置１１に搭載して接続することで、携帯用情報機器１２の冷却機能、処理機能、電源機能及び周辺機器やネットワークに対する接続機能を拡張・補強するものである。携帯用情報機器１２はノート型ＰＣ以外であっても勿論よく、例えば物理的なキーボードを持たないタブレット型のパーソナルコンピュータ（タブレット型ＰＣ）やスマートフォン等であってもよい。
【００１９】
図１に示すように、携帯用情報機器１２は、本体筐体１６に対してディスプレイ筐体１８を開閉可能に連結したクラムシェル型である。本体筐体１６の上面にキーボード２０が設けられ、ディスプレイ筐体１８の前面にディスプレイ２２が設けられている。
【００２０】
本体筐体１６の底面１６ａには、図２に示すように、拡張装置１１の拡張側コネクタ２４と電気的に接続される機器側コネクタ２５と、拡張側コネクタ２４の周囲に設けられた受熱部２６と熱的に接続される放熱部２７とが設けられている。これら機器側コネクタ２５及び放熱部２７は、底面１６ａに開口形成された接続穴２８の内部に配設されている（図６も参照）。接続穴２８は、拡張装置１１側の拡張側コネクタ２４及び受熱部２６を挿抜可能な内周形状を有する。さらに、本体筐体１６の底面１６ａには、図３に示すように、拡張装置１１側から突出する係合レバー３０と係合可能な係合穴３１が設けられている。なお、図２はコネクタ２４，２５を通過する切断線での断面形状を示しており、図３は係合レバー３０及び係合穴３１を通過する切断線での断面形状を示している。
【００２１】
機器側コネクタ２５は、携帯用情報機器１２の本体筐体１６の内部に収容された基板１６ｂに接続されており（図６参照）、接続穴２８内で下方を臨むように露出している。放熱部２７は、拡張装置１１側の受熱部２６に接続されることで携帯用情報機器１２の冷却機能を拡張するものである。放熱部２７と受熱部２６が接続されることで携帯用情報機器１２内で発生した熱を水冷冷却装置として機能する拡張装置１１に伝達し、外部に放熱させることができる。
【００２２】
図１〜図３に示すように、拡張装置１１は、携帯用情報機器１２の本体筐体１６を載置させた状態で用いられるものであり、合成樹脂材によって成形した装置筐体３２にＰＣ搭載部３４及びロック操作部３６を設けて構成されている。
【００２３】
ＰＣ搭載部３４は、携帯用情報機器１２を載置することのできる大きさの上面を有した箱体である。ＰＣ搭載部３４は、前側から後側に向かうに従って漸次高さ寸法が大きくなるように傾斜し、携帯用情報機器１２の底面１６ａが着地する搭載台３４ａと、搭載台３４ａの後側で一段低く形成され、携帯用情報機器１２の後方下面から図示しないバッテリ等が突出している場合に、該バッテリ等を避けるための逃げ面３４ｂとを備える。
【００２４】
ロック操作部３６は、ＰＣ搭載部３４よりも大きな高さ寸法を有した直方体状部分であり、ＰＣ搭載部３４の一側方において後方側となる部位（逃げ面３４ｂの側部）に設けてある。ロック操作部３６は、エジェクトボタン３７と、図示しないキー挿入孔とを有する。エジェクトボタン３７は、係合レバー３０と係合穴３１との係合状態を解除するための操作ボタンである。キー挿入孔は、携帯用情報機器１２用のワイヤ式ロックキー（図示せず）を装着するための開口である。該ロックキーを前記キー挿入孔に挿入してロック操作することにより、エジェクトボタン３７の下方への押下移動を阻止し、係合レバー３０による携帯用情報機器１２の係合状態を解除することが不可能となり、携帯用情報機器１２の盗難防止が図られる。
【００２５】
図２及び図３に示すように、載置台３４ａは、装置筐体３２に対して支持ばね３８によって上下動可能に弾性支持されている。載置台３４ａは、携帯用情報機器１２が搭載される際に該携帯用情報機器１２によって下方に押圧され、図２及び図３に示す装着完了位置よりも下降したオーバーストローク位置まで退動される。載置台３４ａは、オーバーストローク位置まで退動した後は支持ばね３８の付勢力によって装着完了位置まで上昇復帰する。これにより、係合レバー３０の爪部で保持された携帯用情報機器１２の底面１６ａが上方に向かって付勢されながら弾性支持されるため、携帯用情報機器１２と拡張装置１１との間の連結状態ががたつきを生じることなく安定する。また、載置台３４ａがオーバーストローク位置まで一旦退動することにより、拡張側コネクタ２４と機器側コネクタ２５の接続動作、受熱部２６と放熱部２７の接続動作、及び係合レバー３０と係合穴３１の係合動作を円滑に且つ確実に行うことができる。
【００２６】
載置台３４ａ上には、拡張側コネクタ２４及び受熱部２６が突出配置されている。拡張側コネクタ２４は、ＰＣ搭載部３４の内部に収容された図示しない基板等に接続されており、載置台３４ａに形成された開口３９（図６も参照）を通って上面に露出している。拡張側コネクタ２４は、拡張装置１１に設けた各種拡張機能の接続端子を構成し、携帯用情報機器１２の底面１６ａに設けた機器側コネクタ２５に接続されるものである。拡張側コネクタ２４に機器側コネクタ２５を接続することにより、拡張装置１１と携帯用情報機器１２が電気的に接続され、拡張装置１１に設けた各種拡張機能を携帯用情報機器１２から使用することが可能となる。
【００２７】
拡張側コネクタ２４及び受熱部２６の左右側部からは係合レバー３０がそれぞれ突出し、その上部が載置台３４ａ上に露出している。それぞれの係合レバー３０の前側及び左右側の三方を囲むように平面視コの字状のガイドポスト４０が突出形成されている。ガイドポスト４０は、拡張装置１１に携帯用情報機器１２が接続される際、係合レバー３０と共に携帯用情報機器１２側の係合穴３１に挿入されることにより、装置筐体３２に対して携帯用情報機器１２を位置決めする位置決めピンとして機能する。ガイドポスト４０の代わりに載置台３４ａ上の他の位置に別途図示しない位置決めピンを突設してもよい。また、載置台３４ａの上面左右両端側には、ゴム材料等によって形成され、携帯用情報機器１２の下面が着地するクッション部材４１等が設けられている。
【００２８】
次に、拡張装置１１による携帯用情報機器１２の冷却機能を補強する構造について具体的に説明する。
【００２９】
図４は、携帯用情報機器１２の底面１６ａにおける機器側コネクタ２５及び放熱部２７の周辺部を模式的に示す底面図であり、図５は、拡張装置１１の載置台３４ａにおける拡張側コネクタ２４及び受熱部２６の周辺部を模式的に示す底面図である。また、図６は、拡張装置１１と携帯用情報機器１２とを分離させた状態を模式的に示す側面断面図であり、図７は、図６に示す状態から拡張装置１１と携帯用情報機器１２とを接続した状態を模式的に示す側面断面図である。なお、図６及び図７は、拡張装置１１と携帯用情報機器１２の連結構造を明示するため、拡張側コネクタ２４及び機器側コネクタ２５と係合レバー３０との間の位置関係や互いの設置方向等を図１〜図３に示したものと比べて変更及び誇張して図示している。
【００３０】
図１に示すように、拡張装置１１は、ラジエータ４２、水冷ジャケット４３及び循環ポンプ４４を配管４５で環状に接続して冷却水を循環させる水冷ユニット４６を備える。水冷ジャケット４３は受熱部２６を構成する（図６参照）。このような水冷ユニット４６では、ラジエータ４２で図示しないファンによる送風も受けて放熱した冷却水が水冷ジャケット４３に導入され、この水冷ジャケット４３で受熱部２６からの熱を回収した後、循環ポンプ４４を介して再びラジエータ４２に導入される。これにより、受熱部２６を高い冷却効率で冷却することができる。
【００３１】
図５及び図６に示すように、拡張装置１１側の受熱部２６は、銅やアルミニウム等の熱伝導率の高い金属材料によって形成され、拡張側コネクタ２４の四周側面を囲むように設けられた角筒形状である。受熱部２６は、内部にラジエータ４２からの配管４５から供給され、循環ポンプ４４への配管４５へと排出される冷却水の流路４３ａが形成された水冷ジャケット４３の上部に一体的に形成されている。これにより、受熱部２６が放熱部２７から受けた熱を流路４３ａを流れる冷却水によって効率よく回収することができる。流路４３ａ内には図示しないフィン等が設けられていてもよい。
【００３２】
図４及び図６に示すように、携帯用情報機器１２側の放熱部２７は、銅やアルミニウム等の熱伝導率の高い金属材料によって形成され、機器側コネクタ２５の四周側面を囲むように設けられた角筒形状である。放熱部２７は、基板１６ｂに設けられたＣＰＵやＧＰＵ等の電子部品である発熱体４８と熱的に接続されたヒートシンク５０と一体的に形成されている。これにより、発熱体４８からヒートシンク５０に伝達された熱が放熱部２７に効率よく伝達される。
【００３３】
図６及び図７に示すように、受熱部２６の四周の内面２６ａは、拡張側コネクタ２４の四周側面との間に放熱部２７（及び機器側コネクタ２５）を挿抜可能な隙間Ｇ１を有する。また、受熱部２６の内面２６ａの下部には隙間Ｇ１の底部となる底面２６ｂが設けられている。一方、放熱部２７はその四周の内面が機器側コネクタ２５の四周側面と密着される。放熱部２７の四周の外面２７ａは、接続穴２８の四周内面との間に受熱部２６を挿抜可能な隙間Ｇ２を有する。また、放熱部２７の外面２７ａの上部には隙間Ｇ２の底部となる天面２７ｂが設けられている。なお、受熱部２６の内面２６ａ，２６ａ間の短辺方向の幅Ｗ１ａ及び長辺方向の幅Ｗ１ｂは、それぞれ放熱部２７の外面２７ａ，２７ａ間の短辺方向の幅Ｗ２ａ及び長辺方向の幅Ｗ２ｂと同一又は僅かに大きく設定されている（図４〜図６参照）。
【００３４】
従って、このような電子機器１０において拡張装置１１に携帯用情報機器１２を装着する際には、先ず、図１及び図６に示すように、各係合レバー３０（及び各ガイドポスト４０）を携帯用情報機器１２の本体筐体１６の底面１６ａに設けた係合穴３１に挿入させつつ、拡張側コネクタ２４と機器側コネクタ２５を接続する。そうすると、図２、図３及び図７に示すように、載置台３４ａが支持ばね３８の付勢力に抗して押下げられてオーバーストローク位置まで退動されつつ、係合レバー３０が係合穴３１の縁部に当接し、図示しない弾性部材の付勢力に抗して一旦退動した後前進することで係合穴３１に係合し、さらに載置台３４ａが支持ばね３８の付勢力によって図２に示す装着完了位置まで復帰する。これにより、拡張側コネクタ２４と機器側コネクタ２５とが電気的に接続され、さらに係合レバー３０によって拡張装置１１からの携帯用情報機器１２の離脱が阻止されて拡張装置１１への携帯用情報機器１２の装着動作が完了する。
【００３５】
このような装着動作時、当該電子機器１０では拡張側コネクタ２４の周囲に受熱部２６を配設し、機器側コネクタ２５の周囲に放熱部２７を配設しているため、拡張側コネクタ２４と機器側コネクタ２５の接続動作が完了するのと同時に受熱部２６と放熱部２７の接続動作も完了する。すなわち、図６に示すように、拡張側コネクタ２４と機器側コネクタ２５とが接続される際、受熱部２６が放熱部２７の外面２７ａと接続穴２８との間の隙間Ｇ２に嵌挿され、同時に放熱部２７が受熱部２６の内面２６ａと拡張側コネクタ２４との間の隙間Ｇ１に嵌挿される。
【００３６】
その結果、図７に示すように、受熱部２６の内面２６ａと放熱部２７の外面２７ａとが互いに密着する。これにより、携帯用情報機器１２内の発熱体４８で生じた熱は、ヒートシンク５０から放熱部２７を介して受熱部２６に伝達され、水冷ジャケット４３の流路４３ａを流れる冷却水によって回収されるため、携帯用情報機器１２の冷却機能が拡張装置１１の水冷ユニット４６によって大幅に補強される。しかも受熱部２６と放熱部２７との間では、内面２６ａと外面２７ａとが密着するだけでなく、互いの先端面と底面２６ｂ及び天面２７ｂとも密着するため（図７参照）、より大きな伝熱面積が得られ、より高い冷却性能が確保される。
【００３７】
なお、上記では、受熱部２６の内面２６ａ，２６ａ間の幅Ｗ１ａ，Ｗ１ｂは、放熱部２７の外面２７ａ，２７ａ間の幅Ｗ２ａ，Ｗ２ｂと同一又は僅かに大きく設定するものとしたが、幅Ｗ１ａ，Ｗ１ｂを幅Ｗ２ａ，Ｗ２ｂよりも僅かに小さく設定し、接続時に受熱部２６を放熱部２７で外方に拡幅変形させることで両者をより確実に密着させる構成としてもよい。また、図８に示すように、受熱部２６の内面２６ａ，２６ａ間の幅Ｗ１ａ，Ｗ１ｂを、放熱部２７の外面２７ａ，２７ａ間の幅Ｗ２ａ，Ｗ２ｂと同一又は僅かに小さく設定し、さらに受熱部２６の先端面に内向きテーパ形状の傾斜面２６ｃを設けた構成としてもよい。そうすると、接続時に放熱部２７を受熱部２６に対してより円滑に挿入させつつ受熱部２６を外方により円滑に拡幅変形させ、両者をより円滑に且つ確実に密着させることができる。
【００３８】
以上のように、本実施形態に係る電子機器１０は、携帯用情報機器１２と、携帯用情報機器１２の機能を拡張する拡張装置１１とを備え、携帯用情報機器１２に設けられた機器側コネクタ２５と拡張装置１１に設けられた拡張側コネクタ２４とが接続されることで携帯用情報機器１２と拡張装置１１との間が電気的に接続される構成において、機器側コネクタ２５の周囲には携帯用情報機器１２内の発熱体４８と熱的に接続された放熱部２７が設けられ、拡張側コネクタ２４の周囲には機器側コネクタ２５に電気的に接続された状態で、放熱部２７に対して熱的に接続される受熱部２６が設けられている。
【００３９】
従って、拡張装置１１に携帯用情報機器１２を搭載する際、互いの拡張側コネクタ２４と機器側コネクタ２５とを接続するだけで、受熱部２６と放熱部２７とが接続される。すなわち、互いのコネクタ２４，２５間同士が精度よく位置決めされていれば、受熱部２６と放熱部２７の間も確実に位置決めされて接続されるため、拡張装置１１と携帯用情報機器１２とを容易に位置決めして接続することができ、さらに拡張装置１１によって携帯用情報機器１２の電気的な機能だけでなく冷却機能も向上させることができる。しかも携帯用情報機器１２の底面１６ａには、機器側コネクタ２５を露出させるための接続穴２８を設けておくだけで、この接続穴２８を放熱部２７と受熱部２６との接続用にも兼用できるため、携帯用情報機器１２の底面１６ａに形成する穴数を最小限にでき、その外観品質が損なわれることを防止できる。
【００４０】
この場合、拡張装置１１では、ラジエータ４２、水冷ジャケット４３及び循環ポンプ４４を配管４５で環状に接続して冷却水を循環させる水冷ユニット４６を備え、水冷ジャケット４３を受熱部２６として用いている。これにより、水冷ユニット４６による高い冷却性能によって携帯用情報機器１２を冷却することができる。特に当該電子機器１０では、受熱部２６及び放熱部２７をそれぞれ拡張側コネクタ２４及び機器側コネクタ２５の周囲に配設しているため、コネクタ２４，２５の仕様によっては受熱部２６と放熱部２７との間の伝熱面積を大きく確保することが難しい場合も想定される。この点、当該電子機器１０では、従来技術のような空冷ユニットに比べて高い冷却性能を担保できる水冷ユニット４６を用いているため、受熱部２６と放熱部２７との間の伝熱面積の確保が難しい場合であっても十分な冷却性能を得ることができる。勿論、空冷ユニットで十分な冷却性能が確保できる場合は、水冷ユニット４６に代えて受熱部２６に図示しないファンによる送風を当てて空冷する空冷ユニットを用いてもよい。
【００４１】
当該電子機器１０において、拡張装置１１は携帯用情報機器１２の底面１６ａが載置される載置面となる載置台３４ａを有すると共に、拡張側コネクタ２４及び受熱部２６が載置台３４ａ上で突出するように設けられ、携帯用情報機器１２の底面１６ａには、その内部に機器側コネクタ２５及び放熱部２７を有し、拡張側コネクタ２４及び受熱部２６を挿抜可能な接続穴２８が設けられている。このため、携帯用情報機器１２の底面１６ａに設けた接続穴２８から放熱部２７が突出して底面１６ａに凸形状が形成されることがなく、携帯用情報機器１２を単独で使用する際の意匠性や機能性が損なわれることがない。
【００４２】
当該電子機器１０において、拡張装置１１の載置台３４ａには、載置された携帯用情報機器１２の底面１６ａに設けられた係合穴３１に係合することで、拡張装置１１からの携帯用情報機器１２の離脱を阻止する係合レバー３０が設けられている。すなわち、拡張装置１１に携帯用情報機器１２を搭載する際に係合レバー３０を係合穴３１に係合させることによる携帯用情報機器１２の引き寄せ作用により、コネクタ２４，２５間の接続状態の維持と共に、受熱部２６と放熱部２７との間の密着状態が維持されるため、受熱部２６と放熱部２７との間を密着させるための機構を別途設ける必要がない。
【００４３】
当該電子機器１０において、放熱部２７は機器側コネクタ２５の外周側面に当接配置され、受熱部２６は拡張側コネクタ２４の外周側面との間に隙間Ｇ１を介して配置されている。これにより、放熱部２７を隙間Ｇ１に挿入することで、放熱部２７と受熱部２６とをより密着させて接続できる。放熱部２７が機器側コネクタ２５の外周側面に隙間を介して配置され、受熱部２６が拡張側コネクタ２４の外周側面に当接配置された構成とし、受熱部２６を放熱部２７の内側に挿入して両者を接続する構成としてもよい。
【００４４】
なお、本発明は、上記した実施形態に限定されるものではなく、本発明の主旨を逸脱しない範囲で自由に変更できることは勿論である。
【符号の説明】
【００４５】
１０  電子機器
１１  拡張装置
１２  携帯用情報機器
１６  本体筐体
１６ａ  底面
１６ｂ  基板
１８  ディスプレイ筐体
２４  拡張側コネクタ
２５  機器側コネクタ
２６  受熱部
２６ａ  内面
２６ｂ  底面
２６ｃ  傾斜面
２７  放熱部
２７ａ  外面
２７ｂ  天面
２８  接続穴
３０  係合レバー
３１  係合穴
３２  装置筐体
３４  ＰＣ搭載部
３４ａ  載置台
３６  ロック操作部
３９  開口
４２  ラジエータ
４３  水冷ジャケット
４３ａ  流路
４４  循環ポンプ
４５  配管
４６  水冷ユニット
４８  発熱体
５０  ヒートシンク
【図１】
2017073066.tif 000003
【図２】
2017073066.tif 000004
【図３】
2017073066.tif 000005
【図４】
2017073066.tif 000006
【図５】
2017073066.tif 000007
【図６】
2017073066.tif 000008
【図７】
2017073066.tif 000009
【図８】
2017073066.tif 000010
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
携帯用情報機器と、該携帯用情報機器の機能を拡張する拡張装置とを備え、前記携帯用情報機器に設けられた機器側コネクタと前記拡張装置に設けられた拡張側コネクタとが接続されることで前記携帯用情報機器と前記拡張装置との間が電気的に接続される電子機器であって、
前記機器側コネクタの周囲には、前記携帯用情報機器内の発熱体と熱的に接続された放熱部が設けられ、
前記拡張側コネクタの周囲には、該拡張側コネクタが前記機器側コネクタに電気的に接続された状態で、前記放熱部に対して熱的に接続される受熱部が設けられており、
前記拡張装置は、前記携帯用情報機器の底面が載置される載置面を有すると共に、前記拡張側コネクタ及び前記受熱部が前記載置面上で突出するように設けられ、
前記携帯用情報機器の底面には、その内部に前記機器側コネクタ及び前記放熱部を有し、前記拡張側コネクタ及び前記受熱部を挿抜可能な接続穴が設けられていることを特徴とする電子機器。
【請求項２】
請求項１記載の電子機器において、
前記拡張装置は、ラジエータ、水冷ジャケット及び循環ポンプを配管で環状に接続して冷却水を循環させる水冷ユニットを備え、
前記水冷ジャケットを前記受熱部として用いたことを特徴とする電子機器。
【請求項３】
請求項１又は２記載の電子機器において、
前記拡張装置の載置面には、該載置面に載置された前記携帯用情報機器の底面に設けられた係合穴に係合することで、該拡張装置からの前記携帯用情報機器の離脱を阻止する係合レバーが設けられていることを特徴とする電子機器。
【請求項４】
請求項１〜３のいずれか１項に記載の電子機器において、
前記放熱部は、前記機器側コネクタの外周側面に当接配置されるか又は該外周側面との間に隙間を介して配置され、
前記受熱部は、前記拡張側コネクタの外周側面との間に隙間を介して配置されるか又は該外周側面に当接配置されることを特徴とする電子機器。
【手続補正３】
【補正対象書類名】明細書
【補正対象項目名】０００１
【補正方法】変更
【補正の内容】
【０００１】
本発明は、携帯用情報機器と該携帯用情報機器の機能を拡張する拡張装置とを備える電子機器に関する。
【手続補正４】
【補正対象書類名】明細書
【補正対象項目名】０００６
【補正方法】変更
【補正の内容】
【０００６】
本発明は、上記従来技術の課題を考慮してなされたものであり、携帯用情報機器の外観品質を損なうことなく拡張装置と携帯用情報機器との間を容易に位置決めして接続することができ、携帯用情報機器の冷却性能を向上させることができる電子機器を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】